(57)【要約】【課題】  島の上部空間を有効に活用すると共に、遊技者にとって圧迫感・威圧感の少ない簡易構造の島飾りを提供する。【解決手段】  パチンコ店の遊技台設置島の上部に設置する島飾りであって、通路方向に沿って一定間隔をおいて島上面に固定される２つのベース部１０２と、該ベース部１０２にそれぞれ差込固定されるメインポール１０８と、柔軟性を有する素材で構成され前記２本のメインポール１０８に対して着脱可能に架設される表示部１１４と、を備え、メインポール１０８を、ベース部１０２に当該メインポール１０８が差込固定された状態で、先端が通路側斜め上方に向けられると共に反通路側が凸となるように弧を描いた形状とする。【選択図】図１
2013180095.tif 000002
【特許請求の範囲】
【請求項１】
パチンコ店の遊技台設置島の上部に設置する島飾りであって、
通路方向に沿って一定間隔をおいて前記遊技台設置島上面に固定される２つのベース部と、
該ベース部にそれぞれ差込固定されるメインポールと、
柔軟性を有する素材で構成され前記２本のメインポールに対して着脱可能に架設される表示部と、を備え、
前記メインポールは、前記ベース部に当該メインポールが差込固定された状態で、当該メインポールの先端が通路側斜め上方に向けられると共に反通路側が凸となるように弧を描いた形状とされている、
ことを特徴とする島飾り。
【請求項２】
請求項１において、
前記２本のメインポールの先端付近を連結するサブポールが備わると共に、前記表示部の上端が当該サブポールに支持されている
ことを特徴とする島飾り。
【請求項３】
請求項１又は２において、
前記表示部の左右両端には前記メインポールを挿通させる為の第１の挿通部が設けられると共に、前記表示部の上端には前記サブポールを挿通させる為の第２の挿通部が設けられている
ことを特徴とする島飾り。
【請求項４】
請求項１〜３のいずれかにおいて、
前記表示部は、パチンコ店に設置される照明の明かりを一定程度透過させることができる素材、厚みで構成されている
ことを特徴とする島飾り。
【発明の詳細な説明】
【技術分野】
【０００１】
本発明は、パチンコ・パチスロが設置される遊技台設置島を装飾するための島飾りの技術分野に関する。
【背景技術】
【０００２】
パチンコやパチスロなど、所謂「遊技台」はパチンコ店において一定の纏まりをもって配置されており、この纏まりは「遊技台設置島」若しくは単に「島」と呼ばれている。
【０００３】
従来、この島上部の空間は装飾が施されることが少なく、単なる空間として放置されていたが、近年はその空いたスペースを利用して、遊技者に対する視覚的アピールや雰囲気作り等の工夫がされるようになってきている。
【０００４】
例えば特許文献１においては、島上部に移動可能なパネル状の島飾りが設置されている（特許文献１の特に図１を参照）。
【０００５】
また特許文献２においては、島と島とを架橋するようにして島飾りが設置されている（特許文献２の特に図４を参照）。
【０００６】
また特許文献３においては、島の端部にアーチ状のパイプ構造をした島飾りが設置されている（特許文献３の特に図１を参照）。
【０００７】
また特許文献４においては、島上端の通路側に張り出すように島飾りが設置されている（特許文献４の特に図１を参照）。
【０００８】
また、非特許文献１においては、島上部から天井にかけて帯状のビニール製と思しき材料で構成された装飾シートが紐で固定されている。この装飾シートは上方が遊技者の手前方向に僅かに倒れるように設置されている。
【先行技術文献】
【特許文献】
【０００９】
【特許文献１】特開平１１-２１６２５５号公報
【特許文献２】登録実用新案第３００８３５４号公報
【特許文献３】実開昭６３−１０９１９４号公報
【特許文献４】実開平５−８８５８６号公報
【非特許文献】
【００１０】
【非特許文献１】株式会社アールフォーのウェブサイト「屋内サイン」のページ（http://www.r-for.co.jp/service/okunai_sign.html）
【発明の概要】
【発明が解決しようとする課題】
【００１１】
しかしながら、特許文献１の島飾りは、非常に大がかりな島飾りとなり設置コストが膨大となる。更に島自体に固定されるものではないので地震等で島飾り全体が倒れることも想定され、安全上の問題もある。
【００１２】
また、特許文献２の島飾りは、島と島とを架橋するように設置されているので、通路を歩く者には見やすいが、椅子に座って遊技をする者にとっては必ずしも見やすいものではないし、真下で遊技する者にとっては頭上に島飾りが位置するので非常に閉塞感を覚えることになる。
【００１３】
また、特許文献３の島飾りは、島の端部にアーチ状のパイプ構造をした島飾りが設置されているだけなので、椅子に座って遊技をする者に対するアピール度、装飾性に乏しいものであるし、島上部の空間の有効利用を図ることができていない。
【００１４】
また、特許文献４の島飾りは、島上部に遊技者側に張り出すように構成されていて且つその張り出し位置が低いので、遊技者にとっては却って目障りとなりかねないし、島上部の空間の有効利用を図ることができていない。
【００１５】
また、非特許文献１の島飾りは、帯状のビニールシートが手前に倒れるように設置され、且つシートは紐で引っ張られて平面的な構成となっているので、頭上の空間が大きく狭められることによって遊技者は却って威圧感を覚えてしまう。更に透過性のない厚手のビニールシートで構成されているので、例えば天井面に備わる照明器具の光を遮断してしまい、通路や遊技者位置周辺が暗くなる恐れもある。
【００１６】
そこで本発明は、上記問題点を一気に解決できる島飾りを提供する事をその課題としている。
【課題を解決するための手段】
【００１７】
上記課題を解決するべく、本願発明は、パチンコ店の遊技台設置島（以下単に「島」という場合がある。）の上部に設置する島飾りであって、通路方向に沿って一定間隔をおいて前記遊技台設置島上面に固定される２つのベース部と、該ベース部にそれぞれ差込固定されるメインポールと、柔軟性を有する素材で構成され前記２本のメインポールに対して着脱可能に架設される表示部と、を備え、前記メインポールは、前記ベース部に当該メインポールが差込固定された状態で、当該メインポールの先端が通路側斜め上方に向けられると共に反通路側が凸となるように弧を描いた形状とされている、ことを特徴とする。
【００１８】
このように、ベース部とこのベース部に差込固定されるメインポールを二組用意し、二本のメインポールに表示部を掛け渡すというシンプルな構成を採用したことによって、低コストで島飾りを提供することを可能としている。また、ベース部は島上面に固定されるので、地震等で倒れる心配も無い。またメインポールは反通路側が凸となるように弧を描いた形状とされているので、頭上空間が過度に狭められることがなく威圧感・圧迫感が軽減されている。更に、表示部が着脱可能とされているので、表示内容を変更したい時は表示部のみを取り換えることで表示内容の変更が可能となっている。加えてベース部からメインポールを（表示部を装着したままで）抜き取ることによって、そのまま別の位置に固定されているベース部に取り付けることも可能である。
【００１９】
また、前記２本のメインポールの先端付近を連結するサブポールを備えると共に、前記表示部の上端が当該サブポールに支持されるように構成することが望ましい。
【００２０】
このように構成した事によって、二本のメインポールに架設される表示部が弛むことを防止できると共に、二本のメインポールが表示部の重みによって接近することを防止することができる。
【００２１】
また、前記表示部の左右両端に前記メインポールを挿通させる為の第１の挿通部を設けると共に、前記表示部の上端に前記サブポールを挿通させる為の第２の挿通部を設けることが望ましい。
【００２２】
このように構成した事によって、ポール（メインポール、サブポール）側に表示部を支持固定する為の機構を別途設ける必要がない。また表示部は柔軟性を有する素材で構成されているので、例えば端部を折り返して筒状に縫い付ける等により挿通部を簡単に構成することができる。
【００２３】
また、前記表示部を、パチンコ店に設置される照明の明かりを一定程度透過させることができる素材、厚みで構成することが望ましい。
【００２４】
このように構成する事によって、例えばパチンコ店の天井面に設置されている照明器具の光が通路側、遊技者側にも漏れてくるので、通路や遊技者位置周辺が過度に暗くなることもない。  
【発明の効果】
【００２５】
本発明を適用することで、島の上部空間を有効に活用すると共に、遊技者にとって圧迫感・威圧感の少ない簡易構造の島飾りを提供することができる。
【図面の簡単な説明】
【００２６】
【図１】本発明に係る島飾りの概略構成を示した斜視図である。
【図２】本発明に係る島飾りが設置された状態の側面図である。
【図３】本発明に係る島飾りが設置された状態を通路途中から見た状態を示した図である
【発明を実施するための形態】
【００２７】
以下、添付図面を参照しつつ、本発明の実施形態の一例である島飾り１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２８】
〈島飾りの構成〉
図１に示しているように、島飾り１００は、パチンコ店の通路方向に沿って一定間隔をおいて島上面に固定される２つのベース部１０２と、このベース部１０２にそれぞれ差込固定されるメインポール１０８と、柔軟性を有する素材で構成され２本のメインポール１０８に対して着脱可能に架設される表示部１１４と、を備える。
【００２９】
ベース部１０２は、矩形平板に構成されると共に、四隅に固定穴１０６が設けられている。ベース部１０２はこの固定穴１０６を利用して、例えばネジ釘（図示していない）で島上面に固定される。またベース部１０２の略中央にはメインポール１０８を差し込み固定する為の差込部１０４が備わっている。
【００３０】
メインポール１０８は、本実施形態ではアルミニウム材料で構成されると共に、弓なりに弧を描いた形状に成形されている。その結果、ベース部１０２の差込部１０４に当該メインポール１０８を差込固定すると、メインポール１０８の先端が通路側斜め上方に向けられると共に反通路側が凸となるように弧を描いた形状となる。またメインポール１０８は中空とされていて、軽量に仕上げられている。メインポール１０８の下端（根元端）には固定ネジ１１６が取り付けられていて、この固定ネジ１１６を緩めた状態でベース部１０２の差込部１０４に対してメインポール１０８を差し込み、更にツマミ１１８を回して固定ネジ１１６をねじ込むことによって、メインポール１０８とベース部１０２（の差込部１０４）とが固定される構成とされている。
【００３１】
メインポール１０８の先端には、サブポール１１２を固定するためのサブポール固定具１１０が備わっている。このサブポール固定具１１０はメインポール１０８の先端に圧入固定された非回転部１１０ｂと、当該非回転部１１０ｂに対して螺合する回転部１１０ａとから構成される。非回転部１１０ｂには、丁度サブポール１１２を通すことができる程度のサブポール差込穴１１０ｃが形成されている。回転部１１０ａを緩めるとサブポール差込穴１１０ｃに対してサブポール１１２を容易に通すことができるが、回転部１１０ａを締付けるとサブポール１１２を通すことができなくなるように構成されている。即ち、サブポール１１２を通した状態で回転部１１０ａを締付けるとサブポール１１２が固定され、その結果、２本のメインポール１０８の先端がサブポール１１２によって連結固定される構成となっている。
【００３２】
表示部１１４は、本実施形態においては薄手の布で構成され、表示したい内容が描かれている（表示内容は図示していない）。表示内容は特に制限されず、絵柄や写真を掲載してもよいし、文字情報を掲載してもよいし、これらを組み合わせて掲載してもよい。表示部１１４の左右両端は折り返してメインポール１０８を通すことができる程度の筒状となるように形成されている（第１の挿通部１１４ａ）。また表示部１１４の上端は折り返してサブポール１１２を通すことができる程度の筒状となるように形成されている（第２の挿通部１１４ｂ）。
【００３３】
〈島飾りの作用・機能〉
本発明に係る島飾り１００を設置する場合には、最初に表示部１１４の幅に合わせて２つのベース部１０２を島の上面に通路方向に沿って固定する。更にメインポール１０８を表示部１１４両端の第１の挿通部１１４ａに通しておく。この時、表示部１１４の表面がメインポール１０８の凹側となるように通しておく。次に、サブポール１１２を、一方のメインポール１０８先端のサブポール固定具１１０に通した上で、表示部１１４の第２の挿通部１１４ｂにもサブポール１１２が通るようにし、更に他方のサブポール固定具１１０に通した状態で固定する（サブポール固定具１１０の回転部１１０ａをねじ込んで固定する。）。即ち、表示部１１４の上端が、サブポール１１２によって支持されるように固定する。その結果、二本のメインポール１０８に架設される表示部１１４が弛むことを防止できると共に、二本のメインポール１０８が表示部１１４の重みによって接近することを防止することができる。
【００３４】
この状態で、２本のメインポール１０８をベース部１０２の差込部１０４に差込み、更に固定ネジ１１６を回してメインポール１０８が抜け落ちないように固定する。この時、メインポール１０８の先端を、図２に示しているように、通路１６側に向かって斜め上方に向けると共に反通路１６側が凸となるように弧を描いた形状となるように設置する。このように設置することによって、遊技者の頭上空間を大きく確保することができるので、島飾り１００を見ても過度な威圧感・圧迫感を遊技者が感じることはない。特に、遊技者から表示部１１４を見ると上下の中程の位置が奥方に凹んでいる（弓なりに凹んでいる）ので、奥行き感、広がり感を演出することができる。
【００３５】
また、島１０と島１０とを架橋するような設置ではないので、島飾り１００の下に位置する遊技者が閉塞感を感じることもない。また、表示部１１４は光をある程度透過できる薄手の布材料で構成されているので、例えば天井面１８に設置されている照明器具２０の光をある程度通過させることができる。よって、通路１６や椅子１４に座って遊技台１２を遊技する遊技者の位置周辺が過度に暗くなることもない。
【００３６】
また、表示部１１４がメインポール１０８に対して着脱可能とされているので、表示内容を変更したい時は表示部１１４のみを取り換えることで表示内容の変更が可能となっている。加えてベース部１０２からメインポール１０８を（表示部１１４を装着したままで）抜き取ることも可能であり、そのまま別の位置に固定されているベース部１０２に取り付ける（付け替える）ことも可能である。
【００３７】
また、表示部１１４の左右両端にメインポール１０８を挿通させる為の第１の挿通部１１４ａを設けると共に、同じく表示部１１４の上端にサブポール１１２を挿通させる為の第２の挿通部１１４ｂを設けているので、ポール（メインポール１０８、サブポール１１２）側に表示部１１４を固定する為の機構を別途設ける必要がない。また表示部１１４は布材料で構成されているので、端部を折り返して筒状に縫い付けるといった極めて簡単な構成で挿通部１１４ａ、１１４ｂを実現している。さらに弓なり弧状に形成されたメインポール１０８に沿うように表示部１１４が位置決めされるので、表示部１１４の奥行感、広がり感を演出し易いというメリットもある。
【符号の説明】
【００３８】
１０・・・島（遊技台設置島）
１２・・・遊技台
１４・・・椅子
１６・・・通路
１８・・・天井
２０・・・照明器具
１００・・・島飾り
１０２・・・ベース部
１０４・・・差込部
１０６・・・固定穴
１０８・・・メインポール
１１０・・・サブポール固定具
１１０ａ・・・回転部
１１０ｂ・・・非回転部
１１０ｃ・・・サブポール差込穴
１１２・・・サブポール
１１４・・・表示部
１１４ａ・・・第１の挿通部（メインポール挿通部）
１１４ｂ・・・第２の挿通部（サブポール挿通部）
１１６・・・固定ネジ
１１８・・・ツマミ
【図１】
2013180095.tif 000003
【図２】
2013180095.tif 000004
【図３】
2013180095.tif 000005